(57)【要約】【課題】本発明の実施形態は、ディスプレイおよび計算機の故障時にも電力系統の安定運用に寄与する電力系統監視システムおよび電力系統監視方法を提供することを目的とする。【解決手段】本発明の実施形態における電力系統監視システムは、複数の機器が伝送路により連結し、電力系統および電気設備の状態を監視する電力系統監視システムである。また、機器の複数のオペレーションシステムの情報を含む機器情報が記憶された機器情報記憶手段と、外部から受信した表示情報を、前記機器情報記憶手段に記憶された前記機器情報のオペレーションシステムの情報に対応した情報に、変換するマルチ変換機能手段と、を備える。【選択図】図２
2013081268.tif 000002
【特許請求の範囲】
【請求項１】
電力系統および電気設備の状態を監視する主計算機から、表示情報を伝送路を介して受
信し、前記表示情報を表示手段に表示させる計算機を備える電力系統監視システムにおい
て、
前記計算機の機器情報が記憶された機器情報記憶手段と、
前記表示情報を伝送路を介して前記主計算機から受信し、受信した前記表示情報を、前
記機器情報におけるオペレーションシステムの情報に対応した情報に変換するマルチ変換
機能手段と、
前記マルチ変換機能手段により変換された情報を表示する端末表示手段と、を有する電
力系統監視端末
を備える電力系統監視システム。
【請求項２】
前記伝送路を介して前記計算機または前記表示手段の故障を検出し、前記電力系統監視
端末のＩＰアドレスを、故障が検出された前記計算機または前記表示手段のＩＰアドレス
に変更する故障検出手段と、を備え、
前記主計算機は、変更された前記電力系統監視端末の前記ＩＰアドレスに基づいて前記
表示情報を前記電力系統監視端末に送信する
請求項１に記載の電力系統監視システム。
【請求項３】
前記故障検出手段は、前記電力系統監視端末のＩＰアドレスを、故障が検出された前記
計算機または前記表示手段のうち事前に設定された優先度の高い機器のＩＰアドレスに変
更する
請求項２に記載の電力系統監視システム。
【請求項４】
前記マルチ変換機能手段により変換された情報を記憶する補助記憶手段と、
を備える請求項１乃至３のいずれか１項に記載の電力系統監視システム。
【請求項５】
前記マルチ変換機能手段は、前記補助記憶手段に記憶された情報を、前記伝送路を介し
て接続する印刷手段または表示手段に出力する
請求項１乃至４のいずれか１項に記載の電力系統監視システム。
【請求項６】
前記電力系統監視端末は、前記マルチ変換機能手段に操作情報を入力する端末入力手段
を備え、
前記マルチ変換機能手段は、前記端末入力手段により入力された操作情報を、前記機器
情報記憶手段に記憶された前記機器情報のオペレーションシステムの情報に対応した情報
に、変換する
請求項１乃至５のいずれか１項に記載の電力系統監視システム。
【請求項７】
電力系統および電気設備の状態を監視する主計算機から、表示情報を伝送路を介して受
信し、前記表示情報を表示手段に表示させる計算機と、
前記表示情報を受信し、端末表示手段に表示させる電力系統監視端末と、を備える電力
系統監視システムにおける、前記電力系統監視端末の電力系統監視方法において、
前記電力系統監視制御端末のＩＰアドレスを、前記計算機のＩＰアドレスに変更する手
順と、
前記伝送路を介して前記表示情報を受信する手順と、
受信した前記表示情報を、前記計算機のオペレーションシステムに対応した情報に変換
する手順と、
を備える電力系統監視制御方法。
【請求項８】
前記伝送路を介して機器の故障を検出する手順を備え、
故障が検出された機器を選択し、前記電力系統監視制御端末のＩＰアドレスを、選択さ
れた機器のＩＰアドレスに変更する
請求項７に記載の電力系統監視制御方法。
【請求項９】
故障を検出した機器のうち事前に設定された優先度が高い機器を選択し、前記電力系統
監視制御端末のＩＰアドレスを、選択された機器のＩＰアドレスに変更する
請求項８に記載の電力系統監視制御方法。
【請求項１０】
オペレーションシステムに対応した情報に変換する手順により変換された情報を記憶す
る手順と、
を備える請求項７乃至９のいずれか１項に記載の電力系統監視制御方法。
【請求項１１】
オペレーションシステムに対応した情報に変換された情報を記憶する手順により記憶さ
れた情報を、前記伝送路を介して接続する印刷手段または表示手段に出力する
請求項７乃至１０のいずれか１項に記載の電力系統監視制御方法。
【請求項１２】
電力系統設備の操作情報を入力する手順と、
電力系統設備の操作情報を入力する手順により入力された操作情報をオペレーションシ
ステムに対応した情報に変換する手順と、
を備える請求項７乃至１１のいずれか１項に記載の電力系統監視制御方法。
【発明の詳細な説明】
【技術分野】
【０００１】
本発明の実施形態は、電力系統監視システムおよび電力系統監視方法に関する。
【背景技術】
【０００２】
従来から、電力系統および設備の状態を監視するシステムとして、電力系統監視システ
ムが用いられている。この電力系統監視システムでは、主計算機、表示用計算機、ヒュー
マンインターフェイス用計算機（以下、ＨＭＩ計算機と呼ぶ）等の複数の計算機から構成
され、夫々の計算機はローカルエリアネットワーク（以下、ＬＡＮと呼ぶ）に接続するこ
とによって、情報伝送を行っている。
【０００３】
また、夫々の計算機に接続されたディスプレイに情報を表示することによって、利用者
が電力系統および設備の状態を視認することが可能である。
【０００４】
ここで、ディスプレイが故障した場合には、ディスプレイのバックアップを用意し、計
算機が故障した場合には、計算機のバックアップを用意することによって電力系統が監視
不能になることを防いでいる。しかし、このように全てのディスプレイおよび計算機のバ
ックアップを用意する場合は、このシステムのコストおよび設置するスペースの増大につ
ながる。
【０００５】
したがって、コスト・スペースを割けない場合など、バックアップを用意しないシステ
ムにおいては、ディスプレイおよび計算機の故障時には電力系統の監視を正常に行えず、
電力系統の安定運用が出来ないという課題があった。
【先行技術文献】
【特許文献】
【０００６】
【特許文献１】特開２００９−６６６１９号公報
【発明の概要】
【発明が解決しようとする課題】
【０００７】
本発明の実施形態は、ディスプレイおよび計算機の故障時にも電力系統の安定運用に寄
与する電力系統監視システムおよび電力系統監視方法を提供することを目的とする。
【課題を解決するための手段】
【０００８】
本発明の実施形態における電力系統監視システムは、複数の機器が伝送路により連結し
、電力系統および電気設備の状態を監視する電力系統監視システムである。また、機器の
複数のオペレーションシステムの情報を含む機器情報が記憶された機器情報記憶手段と、
外部から受信した表示情報を、前記機器情報記憶手段に記憶された前記機器情報のオペレ
ーションシステムの情報に対応した情報に、変換するマルチ変換機能手段と、を備える。
【図面の簡単な説明】
【０００９】
【図１】第１の実施形態における電力系統監視システムの構成を示すブロック図。
【図２】第１の実施形態における電力系統監視端末３０の構成を示すブロック図。
【図３】第１の実施形態における機器情報記憶部３４に格納される機器情報の一例を示す図。
【図４】第１の実施形態における端末表示部３３の初期動作を示すフローチャート。
【図５】第１の実施形態における端末入力部３２の動作を示すフローチャート。
【図６】第２の実施形態における電力系統監視端末３０の構成を示すブロック図。
【図７】第３の実施形態における電力系統監視端末３０の構成を示すブロック図。
【図８】第４の実施形態における電力系統監視端末３０の構成を示すブロック図。
【発明を実施するための形態】
【００１０】
本発明の実施形態における電力系統監視端末および電力系統監視方法について図面を参
照して説明する。
【００１１】
（第１の実施形態）
（構成）
本発明の第１の実施形態における電力系統監視システム１００の構成について図１を用
いて説明する。図１は電力系統監視システム１００（以下、本システムと呼ぶ）の構成を
示す機能ブロック図である。
【００１２】
本システムは、情報伝送装置１、主計算機２、ＬＡＮ３、系統盤表示器１０、操作卓表
示器１１、入力装置１２、表示器１３，１４、表示用計算機２０、ＨＭＩ用計算機２１、
計算機２３，２４、および電力系統監視端末３０から構成される。
【００１３】
情報伝送装置１は、電力系統情報を取得する図示しない機器から系統状態情報を取得し
、主計算機２に伝達する。
【００１４】
主計算機２は、取得した系統状態情報に応じた情報を、表示用計算機２０、ＨＭＩ用計
算機２１、および計算機２３，２４に対してＬＡＮ３を介して送信する。ここで、表示用
計算機２０、ＨＭＩ用計算機２１、および計算機２３，２４に送信される情報は夫々異な
り、TCP/IP等の予め設定されたプロトコルにより計算機または表示器（のＩＰアドレス）
を指定することにより情報伝送されている。
【００１５】
表示用計算機２０、ＨＭＩ用計算機２１、および計算機２３，２４は、主計算機２から
送信された情報をＬＡＮ３を介して受信し、夫々の計算機に接続する系統盤表示器１０、
操作卓表示器１１、および表示器１３，１４に表示させる。ここで、各々の計算機に格納
されているオペレーションシステム（以下、ＯＳと呼ぶ）に応じた変換を行うことによっ
て、接続する表示器に表示させている。
【００１６】
系統盤表示器１０は、表示器Ａ〜表示器Ｄにより構成され、夫々の表示器に割り当てら
れたＩＰアドレスが異なる。
【００１７】
入力装置１２は、利用者が本システムを操作するための指令を入力するための装置であ
り、入力装置１２から入力された情報がＨＭＩ用計算機２１に伝達される。ここで、ＨＭ
Ｉ用計算機２１は、入力装置１２から入力された情報を格納されているＯＳに応じた情報
に変換を行い、ＬＡＮ３を介して主計算機２に情報伝送している。
【００１８】
次に、電力系統監視端末３０の構成について図２を用いて説明する。図２は、電力系統
監視端末３０の構成を示す機能ブロック図である。
【００１９】
電力系統監視端末３０は、マルチ変換計算部３１、端末入力部３２、端末表示部３３、
および機器情報記憶部３４を備える。
【００２０】
マルチ変換計算部３１は、ＬＡＮ３に接続し情報を送受信する。
【００２１】
端末入力部３２は、マルチ変換計算部３１に接続し、利用者が入力した電力系統設備の
操作情報をマルチ変換計算部３１に伝達する。
【００２２】
端末表示部３３は、マルチ変換計算部３１に接続し、マルチ変換計算部３１から伝達さ
れた情報を表示する。
【００２３】
機器情報記憶部３４は、マルチ変換機能部３１に接続し、このマルチ変換計算部３１に
より情報の読み書きが実行される。また、この機器情報記憶部３４は、本システムに設置
される計算機および表示器の情報が記憶されたデータベースである。機器情報記憶部３４
に格納される機器情報の一例を図３に示す。
【００２４】
図３では計算機または表示器を示す「機器名」と、計算機に格納された「格納ＯＳ名」
と、計算機または表示器の「ＩＰアドレス」とが記憶されている。また、マルチ変換計算
部３１が選択中のＯＳの情報を示す「選択中ＯＳフラグ」が記憶されている。
【００２５】
（作用）
次に、上述した構成を備える本システムにおける電力系統監視端末３０の作用について
図４および図５を用いて説明する。図４は、ＬＡＮ３から受信した表示情報を端末表示部
３３に表示させる際の電力系統監視端末３０の初期動作を示すフローチャートである。図
５は、利用者によって端末入力部３３から操作情報が入力された際の電力系統監視端末３
０の動作を示すフローチャートである。
【００２６】
ＬＡＮ３から受信した表示情報を端末表示部３３に表示させる際の電力系統監視端末３
０の初期動作は下記のステップを備える。
【００２７】
・電力系統監視端末３０のＩＰアドレスを、表示させたい計算機または表示器のＩＰアド
レスにと同じ値に変更する（Ｓ０）。例えば、系統盤表示器１０の表示器Ｃが故障した場
合、利用者が表示器ＣのＩＰアドレスを電力系統監視端末３０のＩＰアドレスに変更する
。
【００２８】
・マルチ変換機能部３１が、ＬＡＮ３から端末表示部３３に表示させる表示情報を受信す
る（Ｓ１）。
【００２９】
・マルチ変換機能部３１が、受信した表示情報がＯＳ１に対応した情報か否かをチェック
する（Ｓ２）。
【００３０】
・受信した表示情報がＯＳ１に対応した情報であると判断された場合（Ｓ２のＹＥＳ）、
マルチ変換機能部３１がＯＳ１に対応した情報に変換する（Ｓ２１）。
【００３１】
・受信した表示情報がＯＳ１に対応した情報であると判断された場合（Ｓ２のＹＥＳ）、
機器情報記憶部３４に記憶された機器情報におけるＯＳ１に対応する「選択中ＯＳフラグ
」欄にフラグを立てる（Ｓ２２）。
【００３２】
・マルチ変換機能部３１が、受信した表示情報がＯＳ２に対応した情報か否かをチェック
する（Ｓ３）。
【００３３】
・受信した表示情報がＯＳ２に対応した情報であると判断された場合（Ｓ３のＹＥＳ）、
マルチ変換機能部３１がＯＳ２に対応した情報に変換する（Ｓ３１）。
【００３４】
・受信した表示情報がＯＳ２に対応した情報であると判断された場合（Ｓ３のＹＥＳ）、
機器情報記憶部３４に記憶された機器情報におけるＯＳ２に対応する「選択中ＯＳフラグ
」欄にフラグを立てる（Ｓ３２）。
【００３５】
・マルチ変換機能部３１が、受信した表示情報がＯＳ３に対応した情報か否かをチェック
する（Ｓ４）。
【００３６】
・受信した表示情報がＯＳ３に対応した情報であると判断された場合（Ｓ４のＹＥＳ）、
マルチ変換機能部３１がＯＳ３に対応した情報に変換する（Ｓ４１）。
【００３７】
・受信した表示情報がＯＳ３に対応した情報であると判断された場合（Ｓ４のＹＥＳ）、
機器情報記憶部３４に記憶された機器情報におけるＯＳ３に対応する「選択中ＯＳフラグ
」欄にフラグを立てる（Ｓ４２）。
【００３８】
・マルチ変換機能部３１によってＯＳ１乃至ＯＳ３のいずれかに対応した情報に変換され
た情報を端末表示部３３に表示させる（Ｓ５）。
【００３９】
・マルチ変換機能部３１が、受信した表示情報がＯＳ１に対応した情報でないと判断し（
Ｓ２のＮＯ）、ＯＳ２に対応した情報でないと判断し（Ｓ３のＮＯ）、ＯＳ３に対応した
情報でないと判断した（Ｓ４のＮＯ）場合、何れのＯＳに対応した情報ではないことを示
す警告を端末表示部３３に表示する（Ｓ６）。
【００４０】
また、上述した図４に示す初期動作後に、ＬＡＮ３から表示情報を受信した場合、マル
チ変換機能部３１が、機器情報記憶部３４の「選択中ＯＳフラグ」にフラグが立てられて
いるＯＳに対応する情報に変換する。
【００４１】
利用者によって端末入力部３３から電力系統設備の操作情報が入力された際の電力系統
監視端末３０の動作は下記のステップを備える。
【００４２】
・端末入力部３３から入力された操作情報を受信する（Ｓ７）。
【００４３】
・機器情報記憶部の「選択中ＯＳフラグ」が立てられているＯＳを確認する（Ｓ８）。
【００４４】
・「選択中ＯＳフラグ」が立てられているＯＳに対応した情報に変換する（Ｓ９）。
【００４５】
・「選択中ＯＳフラグ」が立てられているＯＳに対応した情報に変換された操作情報をＬ
ＡＮ３に送信する（Ｓ１０）。
【００４６】
（効果）
上述した本実施形態によれば、本システムに設置された計算機および表示器が故障した
場合にも、電力系統監視端末３０が故障した機器の代替を行うことが可能となる。また、
本システムに設置された計算機に格納されているＯＳが異なる場合でも、故障した機器の
代替が可能であるため、電力系統の安定運用に寄与する電力系統監視システム１００を提
供することが可能である。
【００４７】
なお、本実施形態では、図４に示すフローチャートにおいて、マルチ変換機能部３１が
、受信した表示情報がＯＳ１に対応した情報でないと判断し（Ｓ２のＮＯ）、ＯＳ２に対
応した情報でないと判断し（Ｓ３のＮＯ）、ＯＳ３に対応した情報でないと判断した（Ｓ
４のＮＯ）場合、何れのＯＳに対応した情報ではないことを示す警告を端末表示部３３に
表示しているが、スピーカー等の図示しない音声装置から警告を出力しても良い。
【００４８】
（第２の実施形態）
（構成）
本発明の第２の実施形態における電力系統監視端末３０について図６を用いて説明する
。第１の実施形態の図２と同一の構成には同一の符号を付し、説明は省略する。本実施形
態が第１の実施形態と異なる構成は、電力系統監視端末３０に故障検出部３５を備える点
である。
【００４９】
故障検出部３５は、本システムに設置された計算機または表示器の故障情報を、ＬＡＮ
３を介して取得し、機器情報記憶部３４に記憶された機器情報に基づいて、電力系統監視
端末３０のＩＰアドレスを故障した機器のＩＰアドレスに変更する。
【００５０】
（作用）
上述した構成を備えることによって、ＬＡＮ３から受信した表示情報を端末表示部３３
に表示させる際の電力系統監視端末３０の初期動作が第１の実施形態と異なる。本実施形
態の動作が、第１の実施形態の図４に示すフローチャートと異なる点は、電力系統監視端
末３０のＩＰアドレスを変更するステップ（Ｓ０）である。
【００５１】
以下に、ＩＰアドレスを変更するステップを示す。その他のステップについては第１の
実施形態と同様であるため説明は省略する。
【００５２】
・故障検出部３５により本システムに設置された計算機または表示器の故障が検出され
た場合、機器情報記憶部３４に記憶された機器情報に基づいて、故障した計算機または表
示器のＩＰアドレスを取得し、電力系統監視端末３０のＩＰアドレスを、取得したＩＰア
ドレスにと同じ値に変更する（Ｓ１１）。
【００５３】
（効果）
本発明に係る実施形態によれば、第１の実施形態の効果に加え、利用者が電力系統監視
端末３０のＩＰアドレスを変更する必要がなくなり、故障検出部３５が機器の故障を検出
することによって、自動的に故障した機器に表示されていた表示情報が端末表示部３３に
代替表示されることとなるため、利用者の負担を減らすことが可能である。
【００５４】
（第３の実施形態）
（構成）
本発明の第３の実施形態における電力系統監視端末３０について図７を用いて説明する
。第２の実施形態の図６と同一の構成には同一の符号を付し、説明は省略する。本実施形
態が第２の実施形態と異なる構成は、故障検出部３５に代えて優先度故障検出部３６を備
える点である。
【００５５】
優先度故障検出部３６は、第２の実施形態の故障検出部３５の機能に加え、事前に設定
された優先度を備える。この優先度故障検出部３６は、本システムに設置された計算機ま
たは表示器の故障情報を取得し、事前に設定された優先度と機器情報記憶部３４に記憶さ
れた機器情報に基づいて、電力系統監視端末３０のＩＰアドレスを故障した機器のＩＰア
ドレスに変更する。つまり、複数の計算機または表示器の故障を検出した場合、優先度に
高い機器のＩＰアドレスの値に電力系統監視端末３０のＩＰアドレスを変更する。
【００５６】
（作用）
上述した構成を備えることによって、ＬＡＮ３から受信した表示情報を端末表示部３３
に表示させる際の電力系統監視端末３０の初期動作が第２の実施形態と異なる。本実施形
態の動作が第２の実施形態の動作と異なる点は、電力系統監視端末３０のＩＰアドレスを
変更するステップ（Ｓ１１）である。
【００５７】
以下に、本実施形態のＩＰアドレスを変更するステップを示す。その他のステップにつ
いては第２の実施形態と同様であるため説明は省略する。
【００５８】
・故障検出部３５により本システムに設置された計算機または表示器の故障が検出され
た場合、事前に設定された優先度と、機器情報記憶部３４に記憶された機器情報とに基づ
いて、故障した計算機または表示器のうち優先度の高い機器のＩＰアドレスを取得し、電
力系統監視端末３０のＩＰアドレスを、取得したＩＰアドレスにと同じ値に変更する（Ｓ
１２）。
【００５９】
（効果）
本実施形態によれば、第２の実施形態の効果に加え、複数の計算機または表示部が故障
した場合にも、事前に設定された優先度に基づいて、電力系統監視端末３０のＩＰアドレ
スを変更することが可能となる。
【００６０】
（第４の実施形態）
（構成・作用）
本発明の第４の実施形態における電力系統監視端末３０について図８を用いて説明する
。第１の実施形態の図２と同一の構成には同一の符号を付し、説明は省略する。本実施形
態が第１の実施形態と異なる構成は、電力系統監視端末３０に補助記憶装置３７を備える
点である。
【００６１】
補助記憶装置３７は、マルチ変換機能部３１に接続しており、このマルチ変換機能部３
１が選択されたＯＳに対応する情報に変換された表示情報および操作情報を受け取り、保
存する。
【００６２】
（効果）
本実施形態によれば、第１の実施形態の効果に加え、補助記憶装置３７が端末表示部３
３に表示する表示情報と端末入力部３２により入力された操作情報を保存することによっ
て、過去にさかのぼって再現表示を行うことが可能となる。
【００６３】
なお、本実施形態では、補助記憶装置３７に記憶された表示情報および操作情報を再現
表示するとしたが、ＬＡＮ３を介して接続するプリンタや他の計算機に対して記憶された
情報を送信することによって、プリンタでのプリントアウトや、他の計算機に接続するデ
ィスプレイでの表示等も可能となる。
【００６４】
以上、本発明のいくつかの実施形態について説明したが、これらの実施形態は、例とし
て提示したものであり、発明の範囲を限定することは意図していない。これら新規な実施
形態は、その他の様々な形態で実施されることが可能であり、発明の要旨を逸脱しない範
囲で、種々の省略、置き換え、変更を行うことが出来る。これら実施形態やその変形は、
発明の範囲や要旨に含まれると共に、特許請求の範囲に記載された発明とその均等の範囲
に含まれる。
【符号の説明】
【００６５】
１…情報伝送装置
２…主計算機
１０…系統盤表示器
１１…操作卓表示器
１２…入力装置
１３，１４…表示器
２１…ＨＭＩ用計算機
２３，２４…計算機
３０…電力系統監視端末
３１…マルチ変換機能部
３２…端末入力部
３３…端末表示部
３４…機器情報記憶部
３５…故障検出部
３６…優先度故障検出部
３７…補助記憶装置
１００…電力系統監視システム
【図１】
2013081268.tif 000003
【図２】
2013081268.tif 000004
【図３】
2013081268.tif 000005
【図４】
2013081268.tif 000006
【図５】
2013081268.tif 000007
【図６】
2013081268.tif 000008
【図７】
2013081268.tif 000009
【図８】
2013081268.tif 000010